(57)【特許請求の範囲】
【請求項１】
光ファイバを巻いて収納するタイプの光部品モジュールにおいて、
箱形の収納ケースを設け、この収納ケース内に光ファイバを巻付けたリールを設け、上記収納ケースに入力用の光ファイバ及び出力用の光ファイバを備えたコネクタを設け、上記リールにおける巻付け胴部から出た巻始め側の光ファイバの先端と上記コネクタにおける一方の光ファイバの先端を融着して第１光ファイバ余長部を形成し、上記リールにおける巻付け胴部から出た巻終わり側の光ファイバの先端と上記コネクタにおける他方の光ファイバの先端を融着して第２光ファイバ余長部を形成し、上記リールにおける上側鍔部に上記第１光ファイバ余長部のリール側部分を巻付ける余長巻付け部材を設け、上記収納ケース内に第１光ファイバ余長部のコネクタ側部分及び上記第２光ファイバ余長部を保持する有底の保持溝を設けてなることを特徴とする光部品モジュール。
【請求項２】
上記保持溝は、上記収納ケース内における上記リールの周囲に設けられた有底の保持周溝と、上記収納ケース内に設けられかつ少なくとも上記コネクタ付近まで延びた有底の保持直線溝とを備え、上記保持周溝と上記保持直線溝を連通して構成してなることを特徴とする請求項１に記載の光部品モジュール。
【請求項３】
上記保持周溝の内側壁部に、上記リールにおける上記巻付け胴部側に連通する切欠き部を形成してなることを特徴とする請求項２に記載の光部品モジュール。
【請求項４】
上記保持周溝の縁側に抜止め鍔部を設けてなることを特徴とする請求項２又は請求項３に記載の光部品モジュール。
【発明の詳細な説明】
【０００１】
【発明の属する技術分野】
本発明は、例えば光分散補償モジュール等のごとき、光ファイバを巻いて収納するタイプの光部品モジュールに関する。
【０００２】
【従来の技術】
光ファイバを巻いて収納するタイプの従来の光ファイバモジュールについて図３及び図４を参照して説明する。
【０００３】
図３は、一部を除く従来の光ファイバモジュールの平面図であって、図４は、図３におけるＩＶ−ＩＶ線に沿った図である。
【０００４】
従来の光部品モジュール１０１は、箱形の収納ケース１０３をベースとして備えており、この収納ケース１０３内には光ファイバＦを巻付けたリール１０５が設けてある。収納ケース１０３の前側左部（図３において下側、図４において紙面に向かって表を「前」とし、図３及び図４において左を「左」とする）には入力用の光ファイバＦを備えた入力コネクタ１０７が設けてあり、収納ケース１０３の前側右部（図３及び図４において右を「右」とする）には出力用の光ファイバＦを備えた出力コネクタ１０９が設けてある。ここで、リール１０５における巻付け胴部１１１から出た巻始め側の光ファイバＦの先端と入力コネクタ１０７における入力用の光ファイバＦの先端を融着して第１光ファイバ余長部１１３を形成してあって、リール１０５における巻付け胴部１１１から出た巻終わり側の光ファイバＦの先端と出力コネクタ１０９における出力用の光ファイバＦの先端を融着して第２光ファイバ余長部１１５を形成してある。
【０００５】
第１光ファイバ余長部１１３及び第２光ファイバ余長部１１５を収容ケース１０３内に収納するため、次の構成を採っている。即ち、リール１０５における上側鍔部１１７には第１光ファイバ余長部１１３におけるリール側部分を巻付ける余長巻付け部材１１９が設けてある。また、収納ケース１０３内におけるリール１０５の周囲には第２光ファイバ余長分１１５を散点的に保持する複数の保持ピン１２１が適宜間隔に設けてあり、各保持ピン１２１はコの字形状にそれぞれ構成してある。なお、いずれかの保持ピン１２１により第１光ファイバ余長部１１３を保持するようにしても差し支えない。
【０００６】
従って、上記巻始め側の光ファイバＦと入力コネクタ１０７における光ファイバＦを収納ケース１０３の外側へ引き出して、巻始め側の光ファイバＦの先端と入力コネクタ１０７における光ファイバＦの先端を融着することにより第１光ファイバ余長部１１３を形成する。そして、第１光ファイバ余長部１１３におけるリール側部分を余長巻付け部材１１９に巻付ける。これによって、第１光ファイバ余長部１１３を収納ケース１０３内に収納することができる。
【０００７】
同様に、上記巻終わり側の光ファイバＦと出力用コネクタ１０９における光ファイバＦを収納ケース１０３の外側へ引き出して、巻終わり側の光ファイバＦの先端と出力コネクタ１０９における光ファイバＦの先端を融着することにより第２光ファイバ余長部１１５を形成する。そして、第２光ファイバ余長部１１５を複数の保持ピン１２１に散点的に保持せしめる。これによって、第２光ファイバ余長部１１５を収納ケース１０３内に収納することができる。
【０００８】
【発明が解決しようとする課題】
ところで、従来の光部品モジュール１０１にあっては、第１光ファイバ余長部１１３におけるリール側部分は余長巻付け部材１１９に巻付ける他に、複数の保持ピン１２１により第２光ファイバ余長部１１５（場合によっては、第１光ファイバ余長部１１３も）を散点的に保持しているだけであるため、光ファイバ余長部１１３，１１５の保持力が十分でない。そのため、収納ケース１０３に外力が作用した場合等にあっては、光ファイバ余長部１１３，１１５が収納ケース１０３に対して動いて、光ファイバ余長部１１３，１１５と収納ケース１０３の一部との間にこすり等が生じて、光ファイバ余長部１１３，１１５が損傷して光部品モジュール１０１の光特性が変化するという問題がある。
【０００９】
一方、光ファイバ余長部１１３，１１５の大部分を保護チューブにより覆うことににより、光ファイバ余長部１１３，１１５の損傷を抑制するようにした場合にあっては、保護チューブを備えた光ファイバ余長部１１３，１１５全体がかさばって、収容ケース１０３を大きくする必要が生じ、光部品モジュール１０１のコンパクト化を図ることができないという問題がある。
【００１０】
【課題を解決するための手段】
請求項１に記載の発明にあっては、光ファイバを巻いて収納するタイプの光部品モジュールにおいて、箱形の収納ケースを設け、この収納ケース内に光ファイバを巻付けたリールを設け、上記収納ケースに入力用の光ファイバ及び出力用の光ファイバを備えたコネクタを設け、上記リールにおける巻付け胴部から出た巻始め側の光ファイバの先端と上記コネクタにおける一方の光ファイバの先端を融着して第１光ファイバ余長部を形成し、上記リールにおける巻付け胴部から出た巻終わり側の光ファイバの先端と上記コネクタにおける他方の光ファイバの先端を融着して第２光ファイバ余長部を形成し、上記リールにおける上側鍔部に上記第１光ファイバ余長部のリール側部分を巻付ける余長巻付け部材を設け、上記収納ケース内に第１光ファイバ余長部のコネクタ側部分及び上記第２光ファイバ余長部を保持する有底の保持溝を設けてなることを特徴とする。
【００１１】
ここで、入力用の光ファイバ及び出力用の光ファイバを備えたコネクタとは、１つのコネクタに限るものではなく、２つのコネクタ（入力用の光ファイバを備えた入力コネクタと、出力用の光ファイバを備えた出力用コネクタ）を含む。
【００１２】
請求項１に記載の発明特定事項によると、上記巻始め側の光ファイバと上記コネクタにおける一方の光ファイバを上記収納ケースの外側へ引き出して、上記巻始め側の光ファイバの先端と上記コネクタにおける一方の光ファイバの先端を融着することにより第１光ファイバ余長部を形成する。そして、第１光ファイバ余長部におけるリール側部分を余長巻付け部材に巻付けると共に、第１光ファイバ余長部におけるコネクタ側部分を保持溝に保持せしめる。これによって、第１光ファイバ余長部を収納ケース内に収納することができる。
【００１３】
同様に、上記巻終わり側の光ファイバと上記コネクタにおける他方の光ファイバを上記収納ケースの外側へ引き出して、上記巻終わり側の光ファイバの先端と上記コネクタにおける他方の光ファイバの先端を融着することにより第２光ファイバ余長部を形成する。そして、第２光ファイバ余長部を保持溝に保持せしめる。これによって、第２光ファイバ余長部を収納ケース内に納めることができる。
【００１４】
ここで、収納溝は所定方向へ延びた保持面（底面、内側壁面、外側壁面）を有してあって、光ファイバ余長部（第１光ファイバ余長部、第２光ファイバ余長部）を十分な保持力により保持しているため、収納ケースに外力が作用した場合等にあっても、光ファイバ余長部が収納ケースに対して動くことを抑制できる。
【００１５】
請求項２に記載の発明にあっては、請求項１に記載の発明特定事項の他に、上記保持溝は、上記収納ケース内における上記リールの周囲に設けられた有底の保持周溝と、上記収納ケース内に設けられかつ少なくとも上記コネクタ付近まで延びた有底の保持直線溝とを備え、上記保持周溝と上記保持直線溝を連通して構成してなることを特徴とする。
【００１６】
請求項２に記載の発明特定事項によると、請求項１に記載の発明特定事項による作用と同様の作用を奏する。
【００１７】
請求項３に記載の発明にあっては、請求項２に記載の発明特定事項の他に、上記保持周溝の内側壁部に、上記リールにおける上記巻付け胴部側に連通する切欠き部を形成してなることを特徴とする。
【００１８】
請求項３に記載の発明特定事項によると、請求項２に記載の発明特定事項の他に、第２光ファイバ余長部を収納ケース内に収納するときに、第２光ファイバ余長部の一部分（リール側部分）が保持周溝の縁側と干渉することなくなる。
【００１９】
請求項４に記載の発明にあっては、請求項２又は請求項３に記載の発明特定事項の他に、上記保持周溝の縁側に抜止め鍔部を設けてなることを特徴とする。
【００２０】
請求項４に記載の発明特定事項によると、請求項２又は請求項３に記載の発明特定事項による作用の他に、第２光ファイバ余長部を収納ケース内に収納するときに、抜止め鍔部により第２光ファイバ余長部が保持周溝から抜けることを防止する。
【００２１】
【発明の実施の形態】
本発明の実施の形態について図１及び図２を参照して説明する。
【００２２】
図１は、一部を除く光ファイバモジュールの平面図であって、図２は、図１におけるＩＩ−ＩＩ線に沿った図である。
【００２３】
本発明の実施の形態に係わる光部品モジュール１は、例えば光分散補償モジュール等のごとき、光ファイバＦを巻いて収納するタイプの光部品モジュールであって、箱形の収納ケース３をベースとして備えている。収納ケース３は、支持プレート５と、この支持プレート５の上側（図１のおいて紙面に向かって表、図２において上を「上」とする）に設けられたトレイ７と、支持プレート５にトレイ７を覆うように着脱可能に設けられた蓋部材９とを備えている。なお、支持プレート５とトレイ７により収納ケース３のケース本体が構成される。
【００２４】
トレイ７の中央部には開口部１１が形成してあり、支持プレート５の中央部には光ファイバＦを巻付けたリール１３が開口部１１に挿入した状態で設けてある。リール１３は、支持プレート３に対してねじ等により着脱可能であって、巻付け胴部１５と、この巻付け胴部１５の上下に設けられた上側鍔部１７，下側鍔部１９とを備えている。なお、上側鍔部１７には光ファイバＦが挿入可能な挿入孔（図示省略）が形成してあり、この挿入孔を介して光ファイバＦが巻付け胴部１５に巻付けられる。
【００２５】
また、支持プレート５の前側左部（図１において下、図２において紙面に向かって表を「前」とし、図１及び図２において左を「左」とする）には入力用の光ファイバＦを備えた入力コネクタ２１が設けてあり、支持プレート５の前側右部（図１及び図２において右を「右」とする）には出力用の光ファイバＦを備えた出力コネクタ２３が設けてある。ここで、リール１３における巻付け胴部１５から出た巻始め側の光ファイバＦの先端と入力コネクタ２１における入力用の光ファイバＦの先端を融着して第１光ファイバ余長部２５を形成してあって、リール１３における巻付け胴部１５から出た巻終わり側の光ファイバＦの先端と出力コネクタ２３における出力用の光ファイバＦの先端を融着して第２光ファイバ余長部２７を形成してある。
【００２６】
第１光ファイバ余長部２５及び第２光ファイバ余長部２７を収容ケース３内に収納するため、次の構成を採っている。
【００２７】
即ち、リール１３における上側鍔部１７には第１光ファイバ余長部２５におけるリール側部分を巻付ける余長巻付け部材２９が設けてあり、この余長巻付け部材２９は段付円板状に構成してある。また、支持プレート５におけるリール１３の周囲（換言すれば開口部１１の周囲）には第２光ファイバ余長分２７を保持する有底の保持周溝３１が設けてあり、保持周溝３１の内側壁部にはリール１３における巻付け胴部１５側に連通する切欠き部３３が形成してある。更に、保持周溝３１の内縁側には環状の抜止め鍔部３５が設けてあり、環状の抜止め鍔部３５の代わりに弧状の複数の抜止め鍔部を設けてもよい。
【００２８】
また、支持プレート５の左部には第１光ファイバ余長部２５のコネクタ側部分を保持する有底の第１持直線溝３７が設けてあり、この第１保持直線溝３７は入力コネクタ２１付近まで前後に延びてあって、保持周溝３１に連通して構成してある。同様に、支持プレート５の右部には第２光ファイバ余長部２７を保持する有底の第２持直線溝３９が設けてあり、この第２保持直線溝３９は出力コネクタ２３付近まで前後に延びてあって、保持周溝３１に連通して構成してある。
【００２９】
なお、保持周溝３１により第１ファイバ余長部２５を保持するようにしてもよく、第１，第２保持直線溝３７，３９に抜止め鍔部を設けてもよい。
【００３０】
次に、本発明の実施の形態の作用について説明する。
【００３１】
上記巻始め側の光ファイバＦと入力コネクタ２１における入力用の光ファイバＦを収納ケース３の外側へ引き出して、上記巻始め側の光ファイバＦの先端と入力コネクタ２１における入力用の光ファイバＦの先端を融着することにより第１光ファイバ余長部２５を形成する。そして、第１光ファイバ余長部２５におけるリール側部分を余長巻付け部材２９に巻付けると共に、第１光ファイバ余長部２５におけるコネクタ側部分を第１保持直線溝３７に保持せしめる。これによって、第１光ファイバ余長部２５を収納ケース５内に収納することができる。
【００３２】
同様に、上記巻終わり側の光ファイバＦと出力コネクタ２３における出力用の光ファイバＦを収納ケース３の外側へ引き出して、上記巻終わり側の光ファイバＦの先端と出力コネクタ２３における出力用の光ファイバＦの先端を融着することにより第２光ファイバ余長部２７を形成する。そして、第２光ファイバ余長部２７を保持周溝３１及び第２保持直線溝３９に保持せしめる。これによって、第２光ファイバ余長部２７を収納ケース３内に納めることができる。
【００３３】
ここで、保持周溝３１、第１保持直線溝３７，第２保持直線溝３９は所定方向へ延びた保持面（底面、内側壁面、外側壁面）をそれぞれ有してあって、光ファイバ余長部（第１光ファイバ余長部２５、第２光ファイバ余長部２７）を十分な保持力により保持しているため、収納ケース３に外力が作用した場合等にあっても、光ファイバ余長部２５，２７が収納ケース３に対して動くことを抑制できる。
【００３４】
上記作用を奏する他に、保持周溝３１の内側壁部にはリール１３における巻付け胴部１５側に連通する切欠き部３３が形成してあるため、第２光ファイバ余長部２７を収納ケース３内に収納するときに、第２光ファイバ余長部２７の一部分（リール側部分）が保持周溝３１の縁側と干渉することなくなる。また、保持周溝３１の内縁側には環状の抜止め鍔部３５が設けてあるため、第２光ファイバ余長部２７を収納ケース３内に収納するときに、抜止め鍔部３５により第２光ファイバ余長部２７が保持周溝３１から抜けることを防止する。
【００３５】
以上のごとき、本発明の実施の形態によれば、収納ケース３に外力が作用した場合等にあっても、光ファイバ余長部２５，２７が収納ケース３に対して動くことを抑制できるため、光ファイバ余長部２５，２７の大部分を保護チューブにより覆うことなく、光ファイバ余長部２５，２７と収納ケース３の一部との間にこすり等が生じることを抑制できる。そのため、光ファイバ余長部２５，２７のかさばりを抑えて光部品モジュール１のコンパクト化を図りつつ、光ファイバ余長部２５，２７の損傷して光部品モジュール１の光特性が変化することを抑制できる。特に、第２光ファイバ余長部２７を収納ケース３内に収納するときに、第２光ファイバ余長部２７の一部分が保持周溝３１の縁側と干渉することなくなるため、上記効果が更に向上する。
【００３６】
また、第２光ファイバ余長部２７を収納ケース３内に納めるときに、抜止め鍔部３５により第２光ファイバ余長部２７が保持周溝３１から抜けることを防止できるため、第２光ファイバ余長部２７の収納作業の能率が向上する。
【００３７】
【発明の効果】
請求項１から請求項４のうちのいずれかの請求項に記載の発明によれば、収納ケースに外力が作用した場合等にあっても、光ファイバ余長部が収納ケースに対して動くことを抑制できるため、光ファイバ余長部の大部分を保護チューブにより覆うことなく、光ファイバ余長部と収納ケースの一部との間にこすり等が生じることを抑制できる。そのため、光ファイバ余長部のかさばりを抑えて光部品モジュールのコンパクト化を図りつつ、光ファイバ余長部の損傷して光部品モジュールの光特性が変化することを抑制できる。
【００３８】
請求項３又は請求項４に記載の発明によれば、第２光ファイバ余長部を収納ケース内に納めるときに、第２光ファイバ余長部の一部分が保持周溝の縁側と干渉することなくなるため、上記効果が更に向上する。
【００３９】
請求項４に記載の発明によれば、第２光ファイバ余長部を収納ケース内に納めるときに、抜止め鍔部により第２光ファイバ余長部が保持周溝から抜けることを防止できるため、第２光ファイバ余長部の収納作業の能率が向上する。
【図面の簡単な説明】
【図１】一部を除く本発明の実施の形態に係わる光ファイバモジュールの平面図である。
【図２】図１におけるＩＩ−ＩＩ線に沿った図である。
【図３】一部を除く従来の光ファイバモジュールの平面図である。
【図４】図３におけるＩＶ−ＩＶ線に沿った図である。
【符号の説明】
１          光部品モジュール
３          収納ケース
１３        リール
２１        入力コネクタ
２３        出力コネクタ
２５        第１光ファイバ余長部
２７        第２光ファイバ余長部
３１        保持周溝
３３        切欠き部
３５        抜け止め鍔部
３７        第１保持直線溝
３９        第２保持直線溝
【図１】
0004213367.tif 000002
【図２】
0004213367.tif 000003
【図３】
0004213367.tif 000004
【図４】
0004213367.tif 000005